(57)【特許請求の範囲】
【請求項１】
魚釣用リールを取付けるシート本体に、リールの取付脚部を載置するリール脚載置面を形成し、この載置面上に取付脚部を保持する一対のフードをこのリール脚載置面の長手方向に沿って対向配置し、これらの一対のフードの少なくとも一方は、前記リール脚載置面上の所要位置に固定可能な移動フードとして形成したリール脚固定装置において、
前記リール脚載置面上には、移動フードが取付脚部を押圧してこの取付脚部をリール脚載置面に当接させた時に弾性変形して取付脚部をリール脚載置面から離隔する方向に付勢する弾性部材が配設され、
前記弾性部材は、リール脚載置面上に形成された凹部内に配置されるとともに、その一部が前記凹部から突出するようにカバー部材によってカバーされて凹部内に保持されていることを特徴とするリール脚固定装置。
【請求項２】
前記カバー部材は、少なくとも一方のフードと重なる位置まで、シート本体の長手方向に延びていることを特徴とする請求項１に記載のリール脚固定装置。
【請求項３】
前記カバー部材は、弾性部材の変形量を吸収する空間が前記凹部内に確保されるように、弾性部材をカバーしていることを特徴とする請求項１または請求項２に記載のリール脚固定装置。
【発明の詳細な説明】
【０００１】
【発明の属する技術分野】
本発明は、釣竿に設けられてリールの脚部を固定するためのリール脚固定装置に関する。
【０００２】
【従来の技術】
一般に、釣竿のリール脚固定装置は、魚釣用リールの取付脚部が載置されるリール脚載置面と、このリール脚載置面の長手方向に沿って互いに対向して設けられた一対のフードとを備えている。一対のフードはそれぞれ魚釣用リールの取付脚部を受け入れる開口を有している。また、一方のフードはリール脚載置面に対して移動可能な移動フードであり、この移動フードを所定位置で固定することにより、一対のフード間で取付脚部が挟持されて魚釣用リールが釣竿に装着されるものである。
【０００３】
このようなリール脚固定装置には、ナット部材の締め付け動作によって移動フードを移動および固定するナット式のもの、あるいは、緊締レバーの起伏操作によって移動フードを移動および固定するレバー式のものなど、従来から様々なタイプのものが知られている。また、リール脚載置面に関しても、リング状あるいは板状等の各種の形状のシート本体に設けられたものが知られている。
【０００４】
このようなリール脚固定装置のうち、レバー式のものは、移動フードを手の力で軸方向に移動することにより取付脚部をリール脚載置面に押圧するものであるため、ナット式のような大きな力を取付脚部に作用させることは困難である。
【０００５】
そのため、例えば実公昭５６−１８２８６号公報は、弾性部材を、リールシート本体のリール脚載置面から突出するように、リール脚載置面上もしくは釣竿とリールシート本体との間に配設し、弾性部材のクッション効果によってリールの取付脚部のガタつきを防止する技術を開示している。この技術によれば、フードの受け部内でリールの取付脚部を弾性部材の突起部によって下から押圧した状態で装着でき、リールの取付脚部とフードの受け部との間に隙間が形成されることを防止できる。
【０００６】
【発明が解決しようとする課題】
しかしながら、実公昭５６−１８２８６号公報に開示された技術のように、弾性部材をリール脚載置面から突出するようにリール脚載置面上に固定すると、露出した弾性部材が外力を受け易く、したがって、弾性部材がリール脚載置面から取れ易いという問題がある。
【０００７】
また、釣竿とリールシート本体との間に弾性部材を配置した場合には、釣竿のしなりや変形等による負荷が弾性部材を配置した部分に作用して（負荷が直接に弾性部材に作用して）、弾性部材の剥がれやガタが発生し易くなる。特に、弾性部材の位置がずれた場合には、リールの取付脚部を固定する固定力が低下してしまう。
【０００８】
本発明は前記事情に着目してなされたものであり、その目的とするところは、弾性部材によりリールの取付脚部を安定して固定できるとともに、弾性部材の性能を長期間安定して維持でき、また、弾性部材の剥がれやガタの発生を防止できるリール脚固定装置を提供することにある。
【０００９】
【課題を解決するための手段】
前記課題を解決するために、本発明は、魚釣用リールを取付けるシート本体に、リールの取付脚部を載置するリール脚載置面を形成し、この載置面上に取付脚部を保持する一対のフードをこのリール脚載置面の長手方向に沿って対向配置し、これらの一対のフードの少なくとも一方は、前記リール脚載置面上の所要位置に固定可能な移動フードとして形成したリール脚固定装置において、前記リール脚載置面上には、移動フードが取付脚部を押圧してこの取付脚部をリール脚載置面に当接させた時に弾性変形して取付脚部をリール脚載置面から離隔する方向に付勢する弾性部材が配設され、前記弾性部材は、リール脚載置面上に形成された凹部内に配置されるとともに、その一部が前記凹部から突出するようにカバー部材によってカバーされて凹部内に保持されていることを特徴とする。
【００１０】
【発明の実施の形態】
以下、図面を参照しながら本発明の実施形態について説明する。
【００１１】
図１〜図４は本発明の第１の実施形態を示している。図１に示されるように、本実施形態に係るリール脚固定装置１は、例えば繊維強化樹脂によって形成された釣竿の竿管８の手元部（竿尻側端部）に位置して設けられている。このリール脚固定装置１は、内部に竿管８が貫通して装着される合成樹脂等からなる筒状のシート本体１２（図４も参照）と、シート本体１２に対して移動可能な移動フード１６とを備えている。
【００１２】
なお、本実施形態のシート本体１２は、竿管８と別体に形成されて、竿管８に接着剤等によって固定されている。しかしながら、シート本体１２を竿管８と一体に形成しても良い。また、シート本体１２は、図示のような筒状構造に限らず、例えば板状等、任意の形状に形成されていても良い。
【００１３】
図３に示されるように、シート本体１２には、移動フード１６と反対側の部位に、シート本体１２の径方向に緩やかに膨出する膨出部１２ａが設けられている。また、この膨出部１２ａの表面には、図２に示されるように、滑り止め部４３が形成されている。この滑り止め部４３は、例えば、滑り止め機能を奏するようにシート本体１２の膨出部１２ａの表面に塗装を施したり、あるいは、ゴム、合成樹脂、コルク、発泡材といった滑り止め機能を奏する部材をシート本体１２の膨出部１２ａの表面に設けることによって形成されている。なお、図３では、簡略化するために、移動フード１６を省略してある。
【００１４】
シート本体１２の先端部には、魚釣用リールの取付脚部（図示せず…以下、単にリール取付脚部という。）の一方側を受けてこれを係止させる固定フード１８が形成されている。この固定フード１８は、リール取付脚部が挿入される空間と、この空間内にリール取付脚部を導入するための開口２０とを有している。開口２０の手元側のシート本体１２上には、リール取付脚部を載置するための平坦なリール脚載置面２２が長手方向に沿って形成されている。このリール脚載置面２２の手元側の両側縁部には、移動フード１６が摺動自在に係合する一対のガイド溝１４が延在しており（図２も参照）、後述するように、移動フード１６はこれらのガイド溝１４に沿って移動される。
【００１５】
図中、２４は係止受体である。この係止受体２４は、一連の横溝をリール脚載置面２２の長手方向に沿って配置することにより形成されており、後述する係止爪３４を係止させて移動フード１６を固定するために使用される。なお、係止受体２４は、ＳＵＳ等の金属、セラミックス、合成樹脂等、シート本体１２よりも硬質な材料によって形成されることが好ましい。また、係止受体２４は、本実施形態のようにシート本体１２と別部材で形成しても良いが、シート本体１２と一体に形成しても良い。
【００１６】
移動フード１６は、金属または剛性の高い合成樹脂などで形成されたフード本体２６を有している。フード本体２６の両側には、シート本体１２のガイド溝１４に噛合うガイド片が形成されている。なお、ガイド溝１４の手元側端部には、ガイド溝１４からの前記ガイド片の抜けを防止する図示しない抜け止め手段が設けられている。
【００１７】
また、フード本体２６は、固定フード１８と同様に、リール取付脚部の端部が挿入される空間と、この空間内にリール取付脚部を導入するための開口２８とを有しており、開口２８は固定フード１８の開口２０と対向して配置されている。フード本体２６の空間内には、硬質の合成樹脂から成る内壁部材３０が配置されている。この内壁部材３０は、リール取付脚部と損傷を与えることなく当接してリール取付脚部をリール脚載置面２２の支持面に対して押圧する。なお、このような内壁部材は固定フード１８の空間内にも設けることができる。
【００１８】
移動フード１６には、その動きを規制するための緊締レバー３２と、この緊締レバー３２の起伏操作で作動される係止爪３４とが設けられている。この緊締レバー３２の手元側端部は、フード本体２６のレバー取付け支持部２６ａに起伏自在に装着されている。また、係止爪３４は、その手元側端部から図示しない爪部をリール脚載置面２２側に突出させたばね板で形成されており、先端に位置する翼部がフード本体２６に装着されている。そして、係止爪３４は、通常、前記爪部がリール脚載置面２２から離隔する方向に付勢されている。
【００１９】
また、フード本体２６に回動自在に取付けられた緊締レバー３２の手元側端部は押圧片として形成されており、この押圧片は、緊締レバー３２が起立された時にリール脚載置面２２と略平行に配置され、緊締レバー３２が図２に示されるようにフード本体２６に重なる状態に倒された時にリール脚載置面２２と略直交する状態に配置される。したがって、緊締レバー３２がフード本体２６から起されると、押圧片による係止爪３４への押圧状態が解除されるため、係止爪３４と係止受体２４との噛合いが解除され、移動フード１６はリール脚載置面２２の長手方向に沿って自由に動くことができる。一方、緊締レバー３２がフード本体２６上に重なる状態に倒されると、押圧片は、係止爪３４の前記爪部をリール脚載置面２２に向けて押圧して係止受体２４の対応する１つの横溝に噛合わせる。これにより、移動フード１６がリール脚載置面２２に対して固定される。
【００２０】
本実施形態のリール脚載置面２２は、シート本体１２と同一の材料、もしくは、リール取付脚部を移動フード１６と固定フード１８とによって固定した際の固定状態を維持でき且つ釣竿操作に支障のない程度の硬質部材によって形成されていることが望ましい。このような硬質部材としては、金属、合成樹脂あるいはセラミックス等を用いることができる。また、金属材料で形成する場合には、ステンレス鋼、黄銅あるいはアルミニウム等を用いることができる。
【００２１】
また、リール脚載置面２２上には、弾性部材４０，４１が長手方向に離間して設けられている。これらの弾性部材４０，４１は、リール脚載置面２２上に載置されるリール取付脚部を移動フード１６および固定フード１８に対して付勢して、リール取付脚部の固定時のガタを防止する。 以下、これについて具体的に説明する。
【００２２】
弾性部材４０，４１は、リール脚載置面２２よりも柔軟な材料で形成され、この載置面２２（シート本体１２）に凹設された共通の凹部５７（図３参照）に一部が埋め込まれた状態で収容されている。また、図４に明確に示されているように、弾性部材４０，４１は、その頂部が載置面２２（凹部５７）から僅かに突出する押圧部４０ａ，４１ａと、押圧部４０ａ，４１ａの下端からフランジ状に延びて凹部５７内に完全に埋設される鍔状部４０ｂ，４１ｂとから成る。そのため、押圧部４０ａ，４１ａと鍔状部４０ｂ，４１ｂとの間には段部が形成されている。
【００２３】
載置面２２からの押圧部４０ａ，４１ａの突出高さは、弾性部材４０，４１の長さ、幅および深さのそれぞれの寸法が例えば５〜３０ｍｍ、１５〜２０ｍｍおよび１〜５ｍｍの時に、リール脚載置面２２から約０．１〜２．０mmの範囲で、０．２mm以上であるのが好ましい。この突出高さは、リール脚載置面２２と同一面となるまで圧縮された時に、弾性部材４０，４１が弾性限界内で変形できるように選定する。このような弾性部材４０，４１は、ゴム（合成および天然）あるいはエラストマー樹脂で形成するのが好ましく、エチレン酢酸ビニルコポリマー（ＥＶＡ）等の発泡材、コルク（人工および天然）等も用いることができる。また、形状記憶特性を有する材料を用いてもよい。
【００２４】
また、本実施形態では、リール脚載置面２２の先端側と中間部との２つの部位に２つの弾性部材４０，４１が配置されているが、弾性部材をいずれか１つの部位にのみ設けることもできる。いずれの場合であっても、リール脚載置面２２の基端側では、移動フード１６の移動範囲であるリール脚載置面２２上の支持面部から先端側に離隔した位置に配置するのが好ましい。前記支持面部からずれた位置に配置する場合には、移動フード１６で押圧されたリール取付脚部の基端側を前記支持面部に直接当接させることができる。この際、リール取付脚部の先端側が固定フード１８で支えられているため、各弾性部材４０，４１は、てこの作用により増大した力で押圧され、圧縮される。また、弾性部材をリール脚載置面２２の先端側で固定フード１８の開口２０に設ける場合には、リール取付脚部とリール脚載置面２２との当接を確保するために、弾性部材を固定フード１８の内部まで延設せず、開口２０の近部にのみ配置するのが好ましい。
【００２５】
また、弾性部材４０，４１の表面部、特にその頂面（上面）には、滑り止めを設けることが好ましい。このような滑り止めは、多数の微小寸法の凹凸の形成、粗面処理、あるいは、滑り止め被膜をコーティングすることにより行なうことができる。勿論、このような滑り止めをリール脚載置面２２に直接施しても良い。
【００２６】
図４の（ａ）に明確に示されるように、固定フード１８側に位置する弾性部材４０は、その押圧部４０ａの上面が平面状もしくは曲率半径が十分に大きい曲面に形成されている。この場合、弾性部材４０は、その中央部から両側縁部に向けて次第に肉厚が増大するように形成しても良い。この中央部と側縁部との間の肉厚の差は、前述の寸法を持つ弾性部材の場合に、例えば５ｍｍ以内に形成することが好ましい。また、弾性部材４０は、例えば１〜５ｍｍ程度、リール取付脚部よりも幅広に形成するのが好ましい。これにより、両側縁部の大きな変形を可能とし、底面が円弧状の横断面形状を有するリール取付脚部の側縁部を、この弾性部材４０内に食い込ませ、 リール取付脚部の横方向移動を抑制することができる。
【００２７】
また、図４の（ｂ）に明確に示されるように、移動フード１６側に位置する弾性部材４１は、その押圧部４１ａの中央部４１ｃが側縁部よりも外方に緩やかに膨出した形状を有している。この弾性部材４１の押圧部４１ａの上面面は、リール取付脚部の底面に対応する湾曲形状に形成されており、前述のような滑り止めを施しておくことが望ましい。他の点は、弾性部材４０と同様である。
【００２８】
また、これらの弾性部材４０，４１は、カバー部材６０によって上側からカバーされている。カバー部材６０には、２つの開口６０ａ，６０ｂが、その長手方向に離間して形成されている。そして、これらの開口６０ａ，６０ｂから弾性部材４０，４１の押圧部４０ａ，４１ａの一部が突出されている。また、弾性部材４０，４１は、押圧部４０ａ，４１ａと鍔状部４０ｂ，４１ｂとの間に形成された段部が、カバー部材６０の裏面および凹部５７に形成された段部に突き当てられている。また、図４に明確に示されるように、カバー部材６０の両側部の縁部には、引掛部（鍔状部）６０ｃが内側に屈曲して形成されており、この引掛部（鍔状部）６０ｃがシート本体１２の係合溝１２ａに係合されることにより、シート本体１２からのカバー部材６０の抜けが防止されている。このように、弾性部材４０，４１は、カバー部材６０によって押さえ付けられるように固定され、凹部５７内でガタ付くことなく位置決めされる。なお、カバー部材６０の上面は、リール脚載置面２２と略面一に形成されており、リール脚載置面２２の一部を形成している。
【００２９】
また、カバー部材６０は、リール脚載置面２２とシート本体１２の側部をカバーしている。具体的には、カバー部材６０は、固定フード１８から移動フード１６に向かって延びており、リール脚載置面２２の長手方向の略中央位置で終端している。また、カバー部材６０の側部は、シート本体１２のガイド溝１４を超える領域まで延びて（図２参照）、シート本体１２の側面となだらかに連なっている。無論、カバー部材６０は、図の長さよりも短く或いは長くても良く、側方に延びていない単なる板状であっても良い。また、カバー部材６０は、その一端が固定フード１８に達していなくても良い。更に、カバー部材６０は、リール脚載置面２２の基端側（移動フード１６）まで連続的に長く延びていても良く、また、長手方向で複数に分割されていても構わない。
【００３０】
なお、カバー部材６０は、弾性部材４０，４１を強固に固定でき且つ保護できるように、弾性部材４０，４１よりも硬質の材料によって形成されていることが望ましく、例えば、合成樹脂、天然材（木、竹）、金属やセラミックス等によって形成される。無論、これらに限定されるものではない。
【００３１】
また、弾性部材４０，４１は、リール取付脚部で押圧されたときの弾性変形が、凹部５７内で吸収されることが好ましい。このように、凹部５７の容積を弾性部材４０，４１の鍔状部４０ｂ，４１ｂを除く部分よりも大きく形成し、押圧部４０ａ，４１ａが押圧された時の弾性部材４０，４１の変形量を吸収すれば、弾性部材４０，４１の弾性変形が常に弾性限度内に維持され、これにより、長期間にわたって初期の弾力性を維持でき、リール脚固定装置１の耐久性を優れたものとすることができる。このような弾性部材４０，４１の変形量を吸収するスペースは、弾性部材４０，４１の鍔状部４０ｂ，４１ｂ側に設けることにより、弾性部材４０，４１のリール脚載置面２２に対する長手方向および横方向の移動を防止することができる。具体的には、本実施形態の場合、弾性部材４０，４１の変形量を吸収するためのスペースＳをシート本体１２の凹部５７に確保するため、カバー部材６０は、隔壁６０ｄを除く部位が凹部５７の底面から離間されるように形成されている（図３参照）。
次に、上記構成のリール脚固定装置１の作用について説明する。
【００３２】
リール脚固定装置１を用いてリールを固定する場合には、まず、移動フード１６から緊締レバー３２を起立させて、係止爪３４の爪部と係止受体２４の横溝との係合を解除し、移動フード１６を固定フード１８から離隔させる。続いて、リール取付脚部の先端部を、固定フード１８の開口２０から挿入し、固定フード１８の例えば内壁部材に当接するまで固定フード１８の空間内に押し込む。この後、緊締レバー３２を起立させたまま移動フード１６を固定フード１８側に移動し、リール取付脚部の基端部を開口２８からその空間内に収容しつつこの移動フード１６を固定フード１８に向けて更に押圧する。リール取付脚部の先端側が固定フード１８で支えられているため、移動フード１６が固定フード１８側に押圧されると、リール取付脚部の基端側がリール脚載置面２２に向けて押圧され、てことして作用する。各弾性部材４０，４１は、このリール取付脚部から受ける大きな力で圧縮され、これにより、リール取付脚部の基端側は、移動フード１６の下側に位置するリール脚載置面２２の支持面部に当接する。この状態で緊締レバー３２を倒し、係止爪３４の爪部を係止受体２４の横溝に噛合わせ、移動フード１６を固定する。
【００３３】
以上説明したように、本実施形態のリール脚固定装置１では、移動フード１６がリール取付脚部を押圧してこのリール取付脚部をリール脚載置面２２に当接させた時に弾性変形してリール取付脚部をリール脚載置面２２から離隔する方向に付勢する弾性部材４０，４１がリール脚載置面２２上に配設され、しかも、弾性部材４０，４１がカバー部材６０によってカバーされているため、釣竿のしなりや変形等による負荷が弾性部材４０，４１を配置した部分に作用する（負荷が直接に弾性部材４０，４１に作用する）ことはなく、したがって、リール脚載置面２２から突出する弾性部材４０，４１の剥がれやガタの発生を防止できる。そのため、弾性部材４０，４１の性能を長期間安定して維持してリール取付脚部を安定して固定でき、使用中にリールが動いたりすることを防止できる。
【００３４】
また、本実施形態において、カバー部材６０は、弾性部材４０，４１の変形量を吸収する空間Ｓが凹部５７内に確保されるように、弾性部材４０，４１をカバーしている。したがって、弾性部材４０，４１の弾性変形（伸縮）をし易くして弾性部材４０，４１が永久変形してしまうことを防止できるとともに、長期間にわたって弾性状態を維持してリール取付脚部を安定して固定できる。また、空間Ｓを設けることにより、カバー部材６０の軽量化を図ることができるとともに、カバー部材６０の変形も可能となることから、カバー部材６０とリール脚載置面２２との高さのバラツキを吸収・許容できる。
【００３５】
また、本実施形態のように、弾性部材４０，４１をシート本体１２の凹部５７内に配置してカバー部材６０によって保持するとともに、カバー部材６０の引掛部６０ｃをシート本体１２の係合溝１２ａに係合させると、強度的に安定するとともに、弾性部材４０，４１を小型軽量化できる。また、弾性部材４０，４１の取付時の突出高さが安定し、リール固定時に確実に弾性力が作用する。
【００３６】
図５は本発明の第２の実施形態を示している。なお、本実施形態において、第１の実施形態と共通する構成部分については、以下、同一符号を付してその説明を省略する。
【００３７】
図示のように、本実施形態において、移動フード１６側に位置する弾性部材４１は、両側縁部の近部に平面部４１ｄを有し、中央部４１ｅが外方に膨出した形状を成している。この中央部４１ｅの湾曲形状は、第１の実施形態と同様に、リール取付脚部の底面と対応させることが好ましい。なお、それ以外の構成は第１の実施形態と同一である。
【００３８】
図６〜図９は本発明の第３の実施形態を示している。なお、本実施形態において、第１の実施形態と共通する構成部分については、以下、同一符号を付してその説明を省略する。
【００３９】
図示のように、本実施形態において、カバー部材６０は、固定フード１８と重なる位置まで長手方向に延びている。すなわち、カバー部材６０は、固定フード１８をカバーするフードカバー部６０ｄを有している。リール取付脚部を安定して載置・固定できるように、カバー部材６０は、シート本体１２を合成樹脂で形成する場合には、これと同様に合成樹脂で形成することが望ましく、特に、弾性部材４０，４１よりも硬質の材料で形成することが望ましい。また、カバー部材６０の耐久性を向上させるため、カバー部材６０を金属（Ａｌ，ＳＵＳ，ＢＳ材等）で形成しても良い。また、本実施形態では、シート本体１２を把持し易くするために、移動フード１６が位置する周辺のシート本体１２の側部に柔軟部材７０が配されている。
【００４０】
このように、本実施形態では、固定フード１８と重なる位置まで、カバー部材６０がシート本体１２の長手方向に延びている。したがって、カバー部材６０によって広い範囲をカバーして、広い範囲にわたって保護できるとともに、カバー部材６０の固定面（接着や成形または密着する面）を広くでき、カバー部材６０を確実強固に取り付けることができる。また、外観が優れたデザインになる（カバー部材６０を強調できる）。
【００４１】
なお、本発明は、前述した各実施形態に限定されず、その要旨を逸脱しない範囲で種々変形実施できることは言うまでもない。例えば、前述した各実施形態では、基端側のフードのみを移動フード１６として形成したが、これに限らず、先端側のフードを移動フードとして形成しても良く、あるいは、一対のフードの双方を移動フードとして形成しても良いことは言うまでもない。また、各実施形態をそれぞれ組合せることも可能である。また、前述した実施形態では、緊締レバー３２の起伏操作によって移動フード１６を移動および固定するレバー式のものについて説明してきたが、ナット部材の締め付け動作によって移動フード１６を移動および固定するナット式のものにも本発明を適用できることは言うまでもない。また、前述した各実施形態において、カバー部材６０は、接着や圧入等によって固定されていても良く、あるいは、シート本体１２に着脱自在であっても良い。この場合、弾性部材４０，４１を含めて交換が可能となり、ゴミの除去等、手入れもし易くなる。また、カバー部材６０と弾性部材４０，４１とを一体的に成形しても良い。
【００４２】
【発明の効果】
以上説明したように、本発明のリール脚固定装置によれば、弾性部材によりリールの取付脚部を安定して固定できるとともに、弾性部材の性能を長期間安定して維持でき、また、弾性部材の剥がれやガタの発生を防止できる。
【図面の簡単な説明】
【図１】本発明の第１の実施形態に係るリール脚固定装置の平面図である。
【図２】図１のリール脚固定装置を移動フードの緊締レバーを倒伏させた状態で示す側面図である。
【図３】図１のリール脚固定装置の側断面図である。
【図４】（ａ）は図１のＡ−Ａ線に沿う断面図、（ｂ）は図１のＢ−Ｂ線に沿う断面図である。
【図５】本発明の第２の実施形態に係るリール脚固定装置の断面図（図１のＡ−Ａ線に沿う断面図に相当）である。
【図６】本発明の第３の実施形態に係るリール脚固定装置の側面図である。
【図７】図６のリール脚固定装置の側断面図である。
【図８】図６のリール脚固定装置の平面図である。
【図９】図８のＣ−Ｃ線に沿う断面図である。
【符号の説明】
１…リール脚固定装置
６…取付脚部
１２…シート本体
１６，１８…フード
２２…リール脚載置面
３２…緊締レバー
４０，４１…弾性部材
５７…凹部
６０…カバー部材
【図１】
0004249893.tif 000002
【図２】
0004249893.tif 000003
【図３】
0004249893.tif 000004
【図４】
0004249893.tif 000005
【図５】
0004249893.tif 000006
【図６】
0004249893.tif 000007
【図７】
0004249893.tif 000008
【図８】
0004249893.tif 000009
【図９】
0004249893.tif 000010